(57)【要約】【課題】  所望する任意数の錠剤を計量して吐出することができる構造が簡単な携帯用の錠剤ケースを提供すること。【解決手段】  ケース本体と蓋体とからなり、錠剤の収納部と計量部とを具えた錠剤ケースであって、ケース本体は、底壁と、側周壁とからなり、底壁は、収納部を形成する円形板部と、計量部を形成する突出部とを具え、突出部には、収容孔と区画板とを具えた複数個の計量室が形成されており、側周壁は、底壁の周縁に沿って立設されており、蓋体は、ケース本体の側周壁の外径と同形の蓋板と、該蓋板から垂設され、ケース本体の側周壁内面に摺接する遮蔽板とからなり、ケース本体と蓋体との間に、蓋体の位置決め機構が設けられていることを特徴とする構成を採用する。【選択図】  図１
2008247437.tif 000002
【特許請求の範囲】
【請求項１】
ケース本体と蓋体とからなり、錠剤の収納部と計量部とを具えた錠剤ケースであって、
ケース本体は、底壁と、側周壁とからなり、
底壁は、収納部を形成する円形板部と、計量部を形成する突出部とを具え、
突出部には、収容孔と区画板とを具えた複数個の計量室が形成されており、
側周壁は、底壁の周縁に沿って立設されており、
蓋体は、ケース本体の側周壁の外径と同形の蓋板と、該蓋板から垂設され、ケース本体の側周壁内面に摺接する遮蔽板とからなり、
ケース本体と蓋体との間に、蓋体の位置決め機構が設けられていることを特徴とする錠剤ケース。
【請求項２】
ケース本体の側周壁が、収納部を形成する円弧壁を具え、
円弧壁内面に係止溝を設け、遮蔽板の外周に前記係止溝に係合する係止突条が設けられていることを特徴とする請求項１記載の錠剤ケース。
【請求項３】
蓋体の位置決め機構は、蓋体の周縁、またはケース本体の側周壁上面に設けられたリブと、ケース本体の側周壁上面、または蓋体の周縁に沿って設けられ、前記リブを挟む一対の係止突起とから形成されていることを特徴とする請求項１または２記載の錠剤ケース。
【請求項４】
蓋体の位置決め機構が、蓋板、またはケース本体の周縁に沿って設けられた突部と、ケース本体の側周壁上面、または蓋板の周縁の所定位置に設けられた複数個の凹溝であることを特徴とする請求項１または２記載の錠剤ケース。
【発明の詳細な説明】
【技術分野】
【０００１】
本発明は、錠剤ケース、とくに所望数の錠剤を取出すことができる錠剤ケースに関するものである。
【背景技術】
【０００２】
錠剤ケースにおいて、所定数の錠剤を計量する計量部を設けたスライド部材を、ケース本体の取出口より露出させ、所望数の錠剤を取出すことができる携帯用の錠剤ケースは、従来より知られている（例えば、特許文献１参照）。
【特許文献１】特開平１１−１６５７７５号公報
【発明の開示】
【発明が解決しようとする課題】
【０００３】
上記特許文献１記載の錠剤ケースは、計量部（２２）と、操作部（２３）を具えたスライド部材（２０）を、ケース本体（１）内に設けたガイド板（７）によってスライド可能、かつ定位置に位置決め可能としてガイドさせるようにしている。
錠剤の取出しにあたっては、容器の取出し口を下方にし、スライド板を取出し口より所定量露出させることによって、所望数の錠剤を手のひらで受けるようにしている。
【０００４】
しかしながら、上記従来の錠剤ケースでは、スライド部材を携帯用のケース本体内に装着しており、構成が複雑であるという問題があった。
また、スライド部材を操作して計量部を露出した場合に、錠剤を手のひらで受けないと取りこぼすという問題があった。
【０００５】
本発明は、上記の問題点を解決することを課題として、所望する任意数の錠剤を計量して吐出することができる構造が簡単な携帯用の錠剤ケースを提供することを目的とする。
【課題を解決するための手段】
【０００６】
本発明は、上記の課題を解決するため、錠剤ケースとして、ケース本体と蓋体とからなり、錠剤の収納部と計量部とを具えた錠剤ケースであって、ケース本体は、底壁と、側周壁とからなり、底壁は、収納部を形成する円形板部と、計量部を形成する突出部とを具え、突出部には、収容孔と区画板とを具えた複数個の計量室が形成されており、側周壁は、底壁の周縁に沿って立設されており、蓋体は、ケース本体の側周壁の外径と同形の蓋板と、該蓋板から垂設され、ケース本体の側周壁内面に摺接する遮蔽板とからなり、ケース本体と蓋体との間に、蓋体の位置決め機構が設けられていることを特徴とする構成を採用する。
【０００７】
ケース本体と蓋体を係合させるための実施例として、ケース本体の側周壁が、収納部を形成する円弧壁を具え、円弧壁内面に係止溝を設け、遮蔽板の外周に前記係止溝に係合する係止突条が設けられていることを特徴とする構成を採用する。
【０００８】
位置決め機構の実施例として、蓋体の位置決め機構は、蓋体の周縁、またはケース本体の側周壁上面に設けられたリブと、ケース本体の側周壁上面、または蓋体の周縁に沿って設けられ、前記リブを挟む一対の係止突起とから形成されていることを特徴とする構成、或いは、蓋体の位置決め機構が、蓋板、またはケース本体の周縁に沿って設けられた突部と、ケース本体の側周壁上面、または蓋板の周縁の所定位置に設けられた複数個の凹溝であることを特徴とする構成を採用する。
【発明の効果】
【０００９】
本発明の錠剤ケースは、複数個の計量室を設け、蓋体の廻動を位置決め機構により所望の位置に位置決めすることにより、所望数の計量室を開き、所望の錠剤を取出すことができるようになった。
【発明を実施するための最良の形態】
【００１０】
次に、本発明錠剤ケースの実施形態について、図面を参照して説明する。
図１〜３において、Ａは本発明の錠剤ケースで、ケース本体Ａ１と、蓋体Ａ２とからなっており、錠剤ケースＡは、錠剤Ｔが収納される円形状の収納部ａと、収納部ａより突出した計量部ｂとを具備している。
錠剤として、薬剤の他に、栄養剤、キャンデー等の粒状物を収納することができる。
【００１１】
図１、２に示すように、ケース本体Ａ１は、底壁１と、側周壁２とからなっており、底壁１には、収納部ａを形成する円形板部１ａと、円形板部１ａより外方に突出して計量部ｂを形成する外側が円弧状の突出部１ｂが設けられている。
突出部１ｂには、複数個の計量室３ａ、３ｂ、３ｃが設けられている。
実施例では、３個の計量室が設けられているが、所望する錠剤数に応じて設定することができる。
各計量室３ａ、３ｂ、３ｃには、錠剤Ｔの収容孔４と、各計量室３ａ、３ｂ、３ｃ間を仕切る区画板５が立設されている。
【００１２】
側周壁２は、底壁１の外周縁に沿って立設されており、収納部ａを形成する円弧壁２ａと、計量部ｂを形成する両側壁２ｂと、円弧壁２ｃとからなっている。
円弧壁２ａには、円弧壁２ｃの中心線に対応する位置で、中心線を挟んで両側にほぼ円弧壁２ｃに等しい角度範囲にわたって切下げ段部６が刻設されている。
【００１３】
切下げ段部６の中央には、図４に示すように、中心線を挟んで一対の係止突起７が突設されており、閉蓋時の位置決め機構が形成されている。
中央から両側に、計量室３ａ、３ｂ、３ｃに対応する角度毎に、一対の係止突起８ａ、８ｂ、８ｃが設けられている。
円弧壁２ａの内周面には、切下げ段部６のやや下方に、円弧全周にわたって延びる係止溝９が設けられている。
【００１４】
図１、３に示すように、蓋体Ａ２は、ケース本体Ａ１の側周壁２の外周縁と同形の蓋板１０を具えており、該蓋板１０は、円形板部１０ａと突出板部１０ｂとからなっている。
突出板部１０ｂは、錠剤ケースＡの計量部ｂに対応するとともに、計量室３ａ、３ｂ、３ｃを順次開閉するようになっており、その上面には、開口方向を指示する表示１１が付されている。
【００１５】
円形板部１０ａの下面には、突出板部１０ｂ間を除いて、ケース本体Ａ１の円弧壁２ａの内周に摺接する遮蔽板１２が垂設されており、所定の位置に、ケース本体Ａ１の円弧壁２ａの係止溝９に係合する係止突条１３が突設されている。
遮蔽板１２上部の中心部には、蓋板１０の下面から垂下するリブ１４が設けられて、図４に示すように、リブ１４と、係止突起８ａ、８ｂ、８ｃ等によって開蓋時の位置決め機構が形成されている。
【００１６】
次に、本錠剤ケースの使用態様と作用効果について説明する。
錠剤Ｔの収納にあたって、ケース本体Ａ１に錠剤Ｔを入れ、蓋体Ａ２を、その外周縁をケース本体Ａ１の外周縁に合わせるようにして押込む。
その際、蓋体Ａ２の遮蔽板１２は、円弧壁２ａと当接し、その端部は、円弧壁２ａと一致し、収納部ａと計量部ｂは、連通した状態となっている。
そして、遮蔽板１２の係止突条１３は、円弧壁２ａの係止溝９に係止し、蓋体Ａ２が上昇して開蓋されるのを阻止している。
また、リブ１４は、係止突起７によって挟持され、左右への廻動が阻止されている。
【００１７】
次に、錠剤の計量、取出しについて説明する。
錠剤Ｔの計量は、錠剤ケースＡを計量部ｂを下になるように傾けると、収納部ａ内の錠剤Ｔは、計量部ｂに移動し、一個ずつ収容孔４内に保持される。
次いで、蓋体Ａ２を左右の何れかの方向に所定の位置まで廻動させると、所定数の計量室３が開口され、開口を下側にして錠剤Ｔを手のひらに受けて、所望する個数の錠剤Ｔを取出すことができる。
【００１８】
その際、１個の錠剤Ｔを取出すときには、図５（ａ）に示すように、蓋体Ａ２のリブ１４を係止突起８ａに係止されるまで右方向に廻すと、計量室３ａが開口されるとともに、遮蔽板１２が、計量室３ａと収納部ａとの流通路を遮断し、収納部ａから新しい錠剤Ｔが計量室３ａに入ることを阻止する。
また、２個の錠剤Ｔを取出したいときには、蓋体Ａ２を、リブ１４が係止突起８ｂと係合するまで廻動させると、計量室３ａ、３ｂを開口させ、同時に、遮蔽板１２が、二つの計量室３ａ、３ｂと収納部ａとの流通路を遮断する。
【００１９】
また、３個の錠剤Ｔを取出したいときには、図５（ｂ）に示すように、蓋体Ａ２を、リブ１４が係止突起８ｃに係合するまで廻動させると、三つの計量室３ａ、３ｂ、３ｃが開口され、同時に、遮蔽板１２が、各計量室３ａ、３ｂ、３ｃと収納部ａとの流通路を遮断して、新しい錠剤Ｔが、計量室３ａ、３ｂ、３ｃに入ることを阻止する。
そして、開口を下側にして、錠剤Ｔを手のひらに受けて、３個の錠剤Ｔを取出すことができる。
したがって、本発明の錠剤ケースＡでは、所望する数個の錠剤Ｔを取出すことができる。
【００２０】
前記実施例では、蓋体Ａ２を右方向に廻動させたが、左方向に廻動させてもよく、また、一方向のみに廻動させるようにし、位置決め機構を少なくしてもよい。
また、実施例では、計量室を３個としたが、それ以上の個数とし、位置決め機構を形成した係止突起を必要数設けてもよい。
【００２１】
蓋体のリブ、ケース本体の係止突起の位置は、蓋体が所定の位置まで廻動できればよいので、実施例には限定されない。
また、リブをケース本体の側に、係止突起を蓋板の側に設けるようにしてもよい。
【００２２】
前記実施形態では、ケース本体Ａ１の側周壁２に設けた切下げ段部６に係止突起７を設け、蓋体Ａ２の下面にリブ１４を設けたが、蓋体周縁の下面に突部を設け、側周壁上面の所定位置に凹溝を複数個設けて、位置決めするようにしてもよい。
この場合、切下げ段部を設ける必要はなく、構成を簡単にすることができる。
また、突部を側周壁上面に、複数の凹溝を蓋体周縁下面に設けるようにしてもよい。
【産業上の利用可能性】
【００２３】
本発明は、錠剤ケースにおいて、所望する個数の錠剤を取出すことができ、薬剤だけでなく、キャンデーを始め粒状の食料品のケースとして、広く利用することができる。
【図面の簡単な説明】
【００２４】
【図１】本発明錠剤ケースの説明図で、（ａ）は一部破断上面図、（ｂ）は断面立面図である。
【図２】ケース本体の説明図で、（ａ）は上面図、（ｂ）は断面立面図である。
【図３】蓋体の説明図で、（ａ）は上面図、（ｂ）は立面図、（ｃ）は下面図である。
【図４】位置決め機構の展開図である。
【図５】錠剤取出し時の説明図で、（ａ）は１個、（ｂ）は３個の取出し時である。
【符号の説明】
【００２５】
Ａ          錠剤ケース
Ａ１        ケース本体
Ａ２        蓋体
ａ          収納部
ｂ          計量部
Ｔ          錠剤
１          底壁
１ａ        円形板部
１ｂ        突出部
２          側周壁
２ａ        円弧壁
２ｂ        両側壁
２ｃ        円弧壁
３ａ，ｂ，ｃ  計量室
４          収容孔
５          区画板
６          切下げ段部
７          係止突起
８ａ，ｂ，ｃ  係止突起
９          係止溝
１０        蓋板
１０ａ      円形板部
１０ｂ      突出板部
１１        表示
１２        遮蔽板
１３        係止突条
１４        リブ
【図１】
2008247437.tif 000003
【図２】
2008247437.tif 000004
【図３】
2008247437.tif 000005
【図４】
2008247437.tif 000006
【図５】
2008247437.tif 000007